(57)【要約】【課題】ワイヤレスインターカムシステムにおいて、主制御装置を用いない簡単なシステム構成で、グループ通話と子機個別通話とができる通話方法を提供する。【解決手段】親機Ａと親機Ｂとを有線による接続線102(122)で接続し、相互に通信制御と音声の送受を行うように構成する。グループ通話は親機Ａをメイン親機と、親機Ｂをサブ親機として用いる。親機Ｂに送信している子機(2)の音声信号を親機Ａに伝送し、親機Ａに送信している子機(1)の音声信号と同一伝送路を経て、両親機から送信することで全子機が聞くことができる。子機個別通話は、呼出し子機(1)を親機Ａと、被呼出し子機の子機(2)を親機Ｂと夫々組合せて通信し、親機Ａの内部で両子機の混合音声信号を作成して両親機から夫々送信する。他子機は、音声信号に先だって送信される制御データ（個別発呼確認データ）により非該当となるので音声回路が開かず聞けない。【選択図】図１
2005094559.tif 000002
【特許請求の範囲】
【請求項１】
第１の親機と、この第１の親機と有線により接続され相互に通信する第２の親機とを有し、前記第１の親機および第２の親機と組合され、前記第１の親機および第２の親機との間を無線回線により通信する複数の子機を備えているワイヤレスインターカムシステムの通信方法において、
前記複数の子機の中の第１の子機を、個別通話の被呼出し子機に設定する被呼子機設定ステップと、
前記複数の子機の中の第２の子機が、個別通話による音声信号の発信許可を求める「第１の個別発呼信号」を前記第１の親機に送信する第１の送信ステップと、
前記「第１の個別発呼信号」を受信した前記第１の親機が、第２の子機から個別発呼信号が発信されたことを全子機に知らせる「第２の個別発呼信号」を送信する第２の送信ステップと、
前記「第２の個別発呼信号」を受信した前記第１の子機が、前記第２の親機に、前記「第２の個別発呼信号」を受信したことを知らせる「第１の個別発呼確認信号」を送信する第３の送信ステップと、
前記「第１の個別発呼確認信号」を受信した前記第２の親機が、受信通知を前記第１の親機に伝送する第１の制御ステップと、
前記受信通知を受けた前記第１の親機が、前記第２の親機に対し、個別通話による音声信号の発信を許可する「第２の個別発呼確認信号」を第１の子機に送信するよう指示を行う第２の制御ステップと、
前記第２の親機が、前記第１の親機の送信指示に従って、前記「第２の個別発呼確認信号」を送信する第４の送信ステップと、
前記第１の親機が、個別通話による音声信号の発信を許可する「第３の個別発呼確認信号」を送信する第５の送信ステップと
を備えたことを特徴とするワイヤレスインターカムシステムの通信方法。
【請求項２】
第１の親機と、この第１の親機と有線により接続され相互に通信する第２の親機とを有し、前記第１の親機および第２の親機と組合され、前記第１の親機および第２の親機との間を無線回線により通信する複数の子機を備えているワイヤレスインターカムシステムの通信方法において、
前記複数の子機の中の第１の子機が、個別通話の相手子機の識別情報を設定する設定ステップと、
前記第１の子機が、前記個別通話の相手子機の識別情報を含む、個別通話による音声信号の発信許可を求める「第１の個別発呼信号」を前記第１の親機に送信する第１の送信ステップと、
前記「第１の個別発呼信号」を受信した前記第１の親機が、第１の子機から個別発呼信号が発信されたことを全子機に知らせるための、前記個別通話の相手子機の識別情報を含む「第２の個別発呼信号」を送信する第２の送信ステップと、
前記個別通話の相手子機に相当する第２の子機が、前記第２の親機に、前記「第２の個別発呼信号」を受信したことを知らせる「第１の個別発呼確認信号」を送信する第３の送信ステップと、
前記「第１の個別発呼確認信号」を受信した前記第２の親機が、受信通知を前記第１の親機に伝送する第１の制御ステップと、
前記受信通知を受けた前記第１の親機が、前記第２の親機に対し、個別通話による音声信号の発信を許可する「第２の個別発呼確認信号」を第２の子機に送信するよう指示を行う第２の制御ステップと、
前記第２の親機が、前記第１の親機の送信指示に従って、前記「第２の個別発呼確認信号」を送信する第４の送信ステップと、
前記第１の親機が、個別通話による音声信号の発信を許可する「第３の個別発呼確認信号」を送信する第５の送信ステップと
を備えたことを特徴とするワイヤレスインターカムシステムの通信方法。
【発明の詳細な説明】
【技術分野】
【０００１】
本発明は、親機と、この親機と特定小電力無線回線等の無線回線を用いてデータおよび音声信号を送受信する複数の子機とを備えたワイヤレスインターカムシステムに係り、特に複数の親機を有線で接続し、グループ通話を行うと共に、複数の子機が個別に通話を行う通信方法に関する。
【背景技術】
【０００２】
親機と、この親機と特定小電力無線回線を用いてデータおよび音声信号を送受信する複数の子機とを備え、複数の子機が親機を介して相互に通話を行うワイヤレスインターカムシステムが知られている。
図７(Ａ)は上記の構成を図示したものであり、親機701と複数の子機(1)〜(n)702が特定小電力無線回線による電波fa、fbにより接続されている。同図のfaは子機702からの送信電波、fbは親機701からの送信電波である。この構成はワイヤレスインターカムシステムとして小規模な構成である。
【０００３】
前述のワイヤレスインターカムシステムにおいては、電波の出力に制限があるため、送受信の到達距離が限定される。そのため、より広いエリアで通信を行うときは、複数の親機を分散して設置することが行われている。このような場合、ひとつの親機とそれに無線接続される複数の子機を1つのグループとして、このグループを複数配置し、各グループの親機を主制御装置に接続し、この主制御装置を介してデータおよび音声信号を各親機に伝送することで各グループ間の通話を可能とする方法が知られている。（例えば、特許文献１参照）。
【０００４】
図７（Ｂ）は上記の構成を図示したものであり、主制御装置711には有線による接続線712を用い、親機(1)713から同(m)714までの複数の親機が接続されている。夫々の親機には特定小電力無線回線による電波fa(1)、fb(1)から親機の数と同数のfa(m)、fb(m)までの周波数を用いて子機１(1)〜同(n)715および子機ｍ(1)〜同(n)716が夫々無線接続されている。
この構成の場合、ある子機からの音声信号は、親機を経由して主制御装置711に送られ、ここを介して他の親機に伝送され、その親機との無線回線で接続されている子機に音声が届くようになり、広いエリアにわたってグループ間の通信が行える。
【特許文献１】特願平１１―３５５８４２号公報
【発明の開示】
【発明が解決しようとする課題】
【０００５】
上記図７（Ａ）のような親機１台による小規模なシステムにおいては、特定小電力無線回線による電波のために通話エリアが限定されることと、複数の子機が同時に通話できない問題を有しており、また、通話エリアを広げるには親機の増設が不可欠であるが、前述の図７（Ｂ）では、親機を複数に増やすためには主制御装置を設ける必要があり、規模が大きくなる問題があった。このため、エリアを少し広げたい場合や、小規模に複数の子機が同時に通話する場合などには、従来のシステムはいずれも課題があった。
また、図７(Ｂ)の構成では、２台の子機が他の子機には聞かれないように個別に通話を行う通信方法が可能であるが、前述したように、この構成は主制御装置を必要とするなど大規模になり、コストが掛かる課題があった。
【０００６】
本発明は、このような従来の問題点に鑑みなされたものであり、その目的は、小規模な構成で複数の親機を有するグループ通話を可能とし、且つ、子機から固定の相手子機もしくは任意の相手子機を呼出して１対１の個別の通話が行える通信方式を備えたワイヤレスインターカムシステムを提供することにある。
【課題を解決するための手段】
【０００７】
本発明は、上記課題を解決する手段として以下の（１）〜（２）に記載の構成からなる。すなわち、
（１）第１の親機と、この第１の親機と有線により接続され相互に通信する第２の親機とを有し、前記第１の親機および第２の親機と組合され、前記第１の親機および第２の親機との間を無線回線により通信する複数の子機を備えているワイヤレスインターカムシステムの通信方法において、
前記複数の子機の中の第１の子機を、個別通話の被呼出し子機に設定する被呼子機設定ステップと、
前記複数の子機の中の第２の子機が、個別通話による音声信号の発信許可を求める「第１の個別発呼信号」を前記第１の親機に送信する第１の送信ステップと、
前記「第１の個別発呼信号」を受信した前記第１の親機が、第２の子機から個別発呼信号が発信されたことを全子機に知らせる「第２の個別発呼信号」を送信する第２の送信ステップと、
前記「第２の個別発呼信号」を受信した前記第１の子機が、前記第２の親機に、前記「第２の個別発呼信号」を受信したことを知らせる「第１の個別発呼確認信号」を送信する第３の送信ステップと、
前記「第１の個別発呼確認信号」を受信した前記第２の親機が、受信通知を前記第１の親機に伝送する第１の制御ステップと、
前記受信通知を受けた前記第１の親機が、前記第２の親機に対し、個別通話による音声信号の発信を許可する「第２の個別発呼確認信号」を第１の子機に送信するよう指示を行う第２の制御ステップと、
前記第２の親機が、前記第１の親機の送信指示に従って、前記「第２の個別発呼確認信号」を送信する第４の送信ステップと、
前記第１の親機が、個別通話による音声信号の発信を許可する「第３の個別発呼確認信号」を送信する第５の送信ステップと
を備えたことを特徴とするワイヤレスインターカムシステムの通信方法。
（２）第１の親機と、この第１の親機と有線により接続され相互に通信する第２の親機とを有し、前記第１の親機および第２の親機と組合され、前記第１の親機および第２の親機との間を無線回線により通信する複数の子機を備えているワイヤレスインターカムシステムの通信方法において、
前記複数の子機の中の第１の子機が、個別通話の相手子機の識別情報を設定する設定ステップと、
前記第１の子機が、前記個別通話の相手子機の識別情報を含む、個別通話による音声信号の発信許可を求める「第１の個別発呼信号」を前記第１の親機に送信する第１の送信ステップと、
前記「第１の個別発呼信号」を受信した前記第１の親機が、第１の子機から個別発呼信号が発信されたことを全子機に知らせるための、前記個別通話の相手子機の識別情報を含む「第２の個別発呼信号」を送信する第２の送信ステップと、
前記個別通話の相手子機に相当する第２の子機が、前記第２の親機に、前記「第２の個別発呼信号」を受信したことを知らせる「第１の個別発呼確認信号」を送信する第３の送信ステップと、
前記「第１の個別発呼確認信号」を受信した前記第２の親機が、受信通知を前記第１の親機に伝送する第１の制御ステップと、
前記受信通知を受けた前記第１の親機が、前記第２の親機に対し、個別通話による音声信号の発信を許可する「第２の個別発呼確認信号」を第２の子機に送信するよう指示を行う第２の制御ステップと、
前記第２の親機が、前記第１の親機の送信指示に従って、前記「第２の個別発呼確認信号」を送信する第４の送信ステップと、
前記第１の親機が、個別通話による音声信号の発信を許可する「第３の個別発呼確認信号」を送信する第５の送信ステップと
を備えたことを特徴とするワイヤレスインターカムシステムの通信方法。
【発明の効果】
【０００８】
本発明による通話方法によれば、親機の増設には、親機に別の親機を直接接続するシステム構成を採っているので、従来のような主制御装置を必要とせず、簡単に増設をすることが可能となり、小規模なシステムでグループ通話を行うのに最適である。その構成を基本に、更に子機の動作切替えにより、固定の相手子機もしくは任意に選択した相手子機との間で１対１の個別通話が行える通信方法を備えているので、他子機に聞かせる必要のない用件を特定の子機に通知する等の使い方ができ、簡単な操作で通話機能の拡充が図れる効果がある。
【発明を実施するための最良の形態】
【０００９】
以下、本発明によるワイヤレスインターカムシステムの通話方法の実施形態につき、好ましい実施例により図面を参照して説明する。
【実施例】
【００１０】
図１（Ａ）（Ｂ）は本発明に係る実施例におけるシステム構成図、図２は図１（Ａ）（Ｂ）における親機間の相互接続を示すブロック図、図３は子機のブロック図、図４はデータ構造を示す図、図５は実施例の動作を説明するチャート(１)、図６は実施例の動作を説明するチャート(２)、図７は従来のシステム構成図である。
【００１１】
（ａ）グループ通話の動作
本発明は、複数の親機が主制御装置を介することなく直接接続される点に構成上の特徴を有する。図１（Ａ）はグループ通話を行う場合のシステム構成図である。
同図において、親機Ａ101と親機Ｂ103は有線による接続線102によって相互に結合されている。このとき、親機Ａ101は親機Ｂ103に対して主導権を持つメイン親機に、親機Ｂ103は親機Ａ101に制御されるサブ親機に夫々設定される。親機Ａ101には特定小電力無線回線の電波fa1、fb1により接続された子機(1)104、同(2)105、同(3)106、同(n)107が配置されている。
同図では、子機(1)104が音声信号を電波fa1で送信し、親機Ａ101がこれを受信し、電波fb1で折り返し送信し、子機(1)104および他の子機が受信する様子を表している。このようにして子機(1)104の音声信号は、親機Ａ101を介してすべての子機に届きグループ通話ができる。
【００１２】
また、更にもう1台の子機例えば子機(2) 105が音声信号を送信する場合は次のように動作する。
子機(2)105は、送話手続きを行うと親機Ｂ103との間で特定小電力無線回線の電波fa2、fb2で通信が行われる（点線で表示）。
子機(2)105は電波fa2で音声信号を送信し、親機Ｂ103は受信した音声信号を親機Ａ101に有線による接続線102を経由して伝送する。親機Ａ101は、伝送されてきた音声信号を前述の子機(1)104の音声信号と同一経路で伝送し、電波fb1で送信する。こうして子機(2)105の音声信号は、自身を除く他の子機に届くことになる。
一方、親機Ａ101から接続線102を経由して、子機(1)と子機(2)の音声信号が親機Ｂ103に送られる。親機Ｂ103は電波fb2でこの音声信号を送信することにより、子機(2)105は自身の音声信号と子機(1)104の音声信号を聞くことができる。このようにして複数の子機の発声によるグループ通話が可能となる。
なお、上記の動作説明は音声信号の流れを中心に述べたが、親機子機共に通話機能を果たすためには他に多くの付随する動作が行われるが、ここでは説明の簡略化のため省略した。
【００１３】
（ｂ）子機個別通話の動作（１）：被呼子機＝固定
次に、子機から特定の子機を呼出して個別通話を行う通信方法について、まず被呼出し子機が固定されている場合の通話手順を図５のチャートを用いて説明する。なお、手順の説明の中で他の図面を参照することがある。
図１（Ｂ）に示す構成に親機および子機が配置されている状態で、仮に呼出し子機を子機(1)124、固定の被呼出し子機（以下、被呼子機）を子機(2)125とする。また、親機Ａ121と親機Ｂ123の接続関係は前記グループ通話時と同じである。
【００１４】
（１）子機(2)125は、自身が個別通話時の固定被呼子機であることをあらかじめ内部のメモリ等に設定する(図５ステップS101。以下、図５ステップを省略)。
（２）子機(1)124の使用者は、図３で示す「機能ボタン313」の押下により、これから行う操作が個別発呼動作であることをブザー音などで利用者に知らせる(S102)。
（３）子機(1)124の図３で示す「送話ボタン309」を押下すると通話手続きが開始される(S103)。
（４）子機(1)124はfb1のキャリアセンスを行い(S104)、電波が使用されていなければ図４に示すデータ構造を用い、下記のデータをfa1で送信する(S105)。
・「メッセージ種別：個別発呼、対局コード：親機Ａ、自局コード：子機(1)」
（５）親機Ａ121は受信した「個別発呼」データの対局コードを照合し(S106)、自コードと一致した場合はfa1のキャリアセンスを行い(S107)、電波が使用されていなければ図４に示すデータ構造を用いて、下記のデータをfb1で送信する(S108)。
・「メッセージ種別：個別発呼、対局コード：子機(1)、自局コード：親機Ａ」
【００１５】
（６）「個別発呼」データを受信した子機のうち、子機(2)125は被呼子機認識により自身が呼び出されていることが分かるので(S109)、通信の周波数をサブチャンネルに切替え(S110)、周波数fb2のキャリアセンスを行う(S111)。
（７）子機(2)125はキャリアセンスの結果、電波が使用されていなければ、図４に示すデータ構造を用いて下記のデータの送信をする(S112)。
・「メッセージ種別：個別発呼確認、対局コード：親機Ｂ、自局コード：子機(2)」
（８）親機Ｂ123は受信したデータの対局コードを照合し(S113)、自コードと一致した場合は図２の「対親機通信処理部228」から「接続線251」を経由して親機Ａ121へ「個別発呼確認」データを受信したことを通知する(S114)。
【００１６】
（９）親機Ａ121は「他親機通信処理部208」を介して親機Ｂ123から「個別発呼確認」データの受信を通知されると、折り返し親機Ｂ123へ「個別発呼確認」データを子機(2)125に送信をするよう指示する(S115)。
（１０）同時に親機Ａ121はfa1のキャリアセンスを行い(S116)、電波が使用されていなければ図４に示すデータ構造を用い、下記のデータをfb1で送信する(S117)。
・「メッセージ種別：個別発呼確認、対局コード：子機(2)、自局コード：親機Ａ」
（１１）次いで、親機Ａ121は個別通話用トーン信号を送信する(S118)。
【００１７】
（１２）一方、親機Ａ121から「個別発呼確認」データを送信するよう指示された親機Ｂ123は、fa2のキャリアセンスを行い(S119)、電波が使用されていなければ図４に示すデータ構造を用い、下記のデータをfb2で送信する(S120)。
・「メッセージ種別：個別発呼確認、対局コード：子機(2)、自局コード：親機Ｂ」
（１３）次いで、親機Ｂ123は個別通話用トーン信号を送信する(S121)。
（１４）子機(1)124子機(2)125は、夫々親機Ａ121親機Ｂ123からの個別通話用トーン信号を受信すると音声パスを開く(S122、S124)。
（１５）子機(1)124子機(2)125は、夫々「個別発呼確認」データを受信後、個別通話用トーン信号を送信し(S123、S125)、続いて図３で示す「マイクロホン306」を使って音声信号を送信する(S128、S129)。
（１６）親機Ａ121親機Ｂ123は、夫々子機(1)124子機(2)125の個別通話用トーン信号を受信すると音声パスを開く(S126、S127)。
【００１８】
（１７）子機(2)125から送信された音声信号(S129)は、親機Ｂ123で受信後、図２で示す「音声ＭＩＸ回路226」から「接続線252」を経て、親機Ａ121の「音声ＭＩＸ回路206」に入力される(S130)。
（１８）親機Ａ121の「音声ＭＩＸ回路206」には、子機(1)124と子機(2)125の音声信号が入力され、ここで混合される(S131)。
（１９）親機Ａ121は、この混合音声信号をfb1で送信する(S132)。
（２０）更に、親機Ａ121は、混合音声信号を「接続線252」を経て親機Ｂ123に伝送し(S133)、親機Ｂ123は伝送されてきた混合音声信号をfb2で子機(2)125に送信する(S134)。
なお、上記２つの子機からの音声信号の流れは、説明用として図２に破線で示してある。すなわち、子機(1)124からの音声信号は、図２の受信回路202を経て破線253で音声ＭＩＸ回路206に入り、一方、子機(2)125からの音声信号は、受信回路222を経て破線255で音声ＭＩＸ回路206に入る。両音声信号はＭＩＸ回路254で合成された後、破線256で示すように両親機の送信回路203、223から夫々送信される。
このようにして子機(1)124と子機(2)125は夫々同時に発声できるようになり、２つの音声信号は混合されて双方で聞けるので、子機間の個別通話が可能となる。
このとき、子機(3)126から子機(n)127までの他子機は、「個別発呼確認」データ受信後、個別通話用トーン信号を検出しても非該当通話であるために受信音声パスは閉じたままとなり音声信号を聞くことはできない。
【００１９】
（ｃ）子機個別通話の動作（２）：被呼子機＝任意選択
次に、子機から特定の子機を呼出して個別通話を行う通信方法の第２の例として、被呼出し子機を任意に選択する場合の通話手順を図６のチャートを用いて説明する。なお、手順の説明の中で他の図面を参照することがある。
図１（Ｂ）に示す構成に親機および子機が配置されている状態で、仮に呼出し子機を子機(1)124、任意の被呼子機を子機(2)125とする。
【００２０】
（１）子機(1)124は、図３に示す「設定ＳＷ312」を用いて、被呼子機として子機(2)125を設定する(図６ステップS201。以下、図６ステップを省略)。
（２）子機(1)124の使用者は、図３で示す「機能ボタン313」の押下により、これから行う操作が個別発呼動作であることをブザー音などで利用者に知らせる(S202)。
（３）子機(1)124の図３で示す「送話ボタン309」を押下すると通話手続きが開始される(S203)。
（４）子機(1)124はfb1のキャリアセンスを行い(S204)、電波が使用されていなければ図４に示すデータ構造を用い、下記のデータをfa1で送信する(S205)。
・「メッセージ種別：個別発呼、対局コード：子機(2)、自局コード：子機(1)」
（５）親機Ａ121は子機(1)124からの「個別発呼」データを受信後、fa1のキャリアセンスを行い(S206)、電波が使用されていなければ図４に示すデータ構造を用いて、下記のデータをfb1で送信する(S207)。
・「メッセージ種別：個別発呼、対局コード：子機(2)、自局コード：子機(1)」
【００２１】
（６）「個別発呼」データを受信した子機のうち、対局コードを照合し(S208)、自コードと一致する子機(2)125は、自身が呼び出されていることが分かるので、通信の周波数をサブチャンネルに切替え(S209)、周波数fb2のキャリアセンスを行う(S210)。
（７）子機(2)125はキャリアセンスの結果、電波が使用されていなければ、図４に示すデータ構造を用いて下記のデータの送信をする(S211)。
・「メッセージ種別：個別発呼確認、対局コード：子機(1)、自局コード：子機(2)」
（８）親機Ｂ123は、子機(2)125からの「個別発呼確認」データを受信後、図２の「対親機通信処理部228」から「接続線251」を経由して親機Ａ121へ「個別発呼確認」データを受信したことを通知する(S212)。
【００２２】
（９）親機Ａ121は「他親機通信処理部208」を介して親機Ｂ123から「個別発呼確認」データの受信を通知されると、折り返し親機Ｂ123へ「個別発呼確認」データを子機(2)125に送信をするよう指示する(S213)。
（１０）同時に親機Ａ121はfa1のキャリアセンスを行い(S214)、電波が使用されていなければ図４に示すデータ構造を用い、下記のデータをfb1で送信する(S215)。
・「メッセージ種別：個別発呼確認、対局コード：子機(1)、自局コード：子機(2)」
（１１）次いで、親機Ａ121は個別通話用トーン信号を送信する(S216)。
【００２３】
（１２）一方、親機Ａ121から「個別発呼確認」データを送信するよう指示された親機Ｂ123は、fa2のキャリアセンスを行い(S219)、電波が使用されていなければ図４に示すデータ構造を用い、下記のデータをfb2で送信する(S220)。
・「メッセージ種別：個別発呼確認、対局コード：子機(1)、自局コード：子機(2)」
（１３）次いで、親機Ｂ123は個別通話用トーン信号を送信する(S221)。
（１４）子機(1)124子機(2)125は、夫々親機Ａ121親機Ｂ123からの個別通話用トーン信号を受信すると音声パスを開く(S217、S222)。
（１５）子機(1)124子機(2)125は、夫々「個別発呼確認」データを受信後、個別通話用トーン信号を送信し(S218、S223)、続いて図３で示す「マイクロホン306」を使って音声信号を送信する(S226、S227)。
（１６）親機Ａ121親機Ｂ123は、夫々子機(1)124子機(2)125の個別通話用トーン信号を受信すると音声パスを開く(S224、S225)。
【００２４】
（１７）子機(2)125から送信された音声信号(S129)は、親機Ｂ123で受信後、図２で示す「音声ＭＩＸ回路226」から「接続線252」を経て、親機Ａ121の「音声ＭＩＸ回路206」に入力される(S228)。
（１８）親機Ａ121の「音声ＭＩＸ回路206」には、子機(1)124と子機(2)125の音声信号が入力され、ここで混合される(S229)。
（１９）親機Ａ121は、この混合音声信号をfb1で送信する(S230)。
（２０）更に、親機Ａ121は、混合音声信号を「接続線252」を経て親機Ｂ123に伝送し(S231)、親機Ｂ123は伝送されてきた混合音声信号をfb2で子機(2)125に送信する(S232)。
このようにして子機(1)124と子機(2)125は夫々同時に発声できるようになり、２つの音声信号は混合されて双方で聞けるので、子機間の個別通話が可能となる。
このとき、子機(3)126から子機(n)127までの他子機は、「個別発呼確認」データ受信後、個別通話用トーン信号を検出しても非該当通話であるために受信音声パスは閉じたままとなり音声信号を聞くことはできない。
【００２５】
以上詳記したように、本発明では主制御装置を用いることなく、親機同士を直接接続するだけの簡単な構成でグループ通話が行え、その構成を基本に、更に子機の動作切替えにより、固定の被呼子機もしくは任意に選択した被呼子機との間で、１対１の個別通話が行えるようになるので、他子機に聞かせる必要のない用件を特定の子機に通知する等の通話機能の拡張が行える。なお、本実施例では、親機子機間の通信を特定小電力無線回線で説明したが、これに限ることなく他の無線回線でも同様の通信方法が可能である。
【図面の簡単な説明】
【００２６】
【図１】本発明に係る実施例におけるシステム構成図である。
【図２】図１における親機間の相互接続を示すブロック図である。
【図３】子機のブロック図である。
【図４】データ構造を示す図である。
【図５】本発明に係る実施例の動作を説明するチャート(１)である。
【図６】本発明に係る実施例の動作を説明するチャート(２)である。
【図７】従来のシステム構成図である。
【符号の説明】
【００２７】
１０１、１２１  親機Ａ（第１の親機）
１０２、１２２  接続線
１０３、１２３  親機Ｂ（第２の親機）
１０４、１２４  子機(1)
１０５、１２５  子機(2)
２００  親機Ａの内部回路
２０１、２２１、３０１  送受アンテナ
２２０  親機Ｂの内部回路
２５１  データ接続線
２５２  音声信号接続線
２５３  親機Ａが受信した音声信号の流れ
２５４  音声ＭＩＸ部
２５５  親機Ｂが受信した音声信号の流れ
２５６  ＭＩＸした音声信号の流れ
【図１】
2005094559.tif 000003
【図２】
2005094559.tif 000004
【図３】
2005094559.tif 000005
【図４】
2005094559.tif 000006
【図５】
2005094559.tif 000007
【図６】
2005094559.tif 000008
【図７】
2005094559.tif 000009